(57)【要約】患者支持体に使用するオーバーベッド・テーブル。オーバーベッド・テーブル（１０）は、病院のベッド（２１）等の患者支持面上方でテーブル・セクション（１６）を支持する構成である。オーバーベッド・テーブル（１０）はベース（１２）を有するフレーム（１５）およびテーブル・セクション（１６）を支持するための実質的垂直の支柱（１４）を含む。一形態において、ディスプレイ装置（１２４）がオーバーベッド・テーブル（１０）により支持される。他の形態において、カメラ（１６０）がオーバーベッド・テーブル（１０）により支持される。【特許請求の範囲】
【請求項１】
フレーム、
前記フレームに連結された第一テーブル・セクション、
第一テーブル・セクションに対して垂直に離隔した前記フレームに連結された第二テーブル・セクション、
第一テーブル・セクションに対して垂直に離隔して位置決めされた支持体、および
前記支持体に連結されかつ実質的水平の保管位置と実質的垂直の使用位置間で移動する構成のディスプレイ・スクリーンを含み、
前記支持体は実質的水平面内で第一テーブル・セクションに対して移動する構成である、オーバーベッド・テーブル。
【請求項２】
第一テーブル・セクションおよび第二テーブル・セクションの少なくとも一方は第二テーブル・セクションおよび第一テーブル・セクションの他方に対して実質的水平面内を移動する構成である、請求項１のオーバーベッド・テーブル。
【請求項３】
第二テーブル・セクションは、第二テーブル・セクションの運動の結果が第一テーブル・セクションの摺動運動になるように第一テーブル・セクションに連結されている、請求項２のオーバーベッド・テーブル。
【請求項４】
前記支持体は少なくとも一つのハンドルを有するアームを含む、請求項１のオーバーベッド・テーブル。
【請求項５】
前記アームは第一および第二ハンドルを含み、かつ前記ディスプレイ・スクリーンは第一ハンドルと第二ハンドルとの中間に支持されている、請求項４のオーバーベッド・テーブル。
【請求項６】
前記支持体は第一テーブル・セクションに枢軸回転自在に連結されている、請求項１のオーバーベッド・テーブル。
【請求項７】
前記ディスプレイ・スクリーンは実質的水平の第一軸を中心に軸回転運動するために前記支持体に連結されている、請求項１のオーバーベッド・テーブル。
【請求項８】
前記ディスプレイ・スクリーンは第一軸に実質的垂直に延びた第二軸を中心とする軸回転運動のために前記支持体に連結されている、請求項７のオーバーベッド・テーブル。
【請求項９】
前記ディスプレイ・スクリーンは前記保管位置において第一テーブル・セクションと第二テーブル・セクションとの中間に位置決めされかつ前記使用位置において第一テーブル・セクション上方に伸長する、請求項１のオーバーベッド・テーブル。
【請求項１０】
前記ディスプレイ・スクリーンはフラットパネルモニタを含む、請求項１のオーバーベッド・テーブル。
【請求項１１】
前記ディスプレイ・スクリーンは反射鏡を含む、請求項１のオーバーベッド・テーブル。
【請求項１２】
前記ディスプレイ・スクリーンの近傍に支持されたカメラを更に含む、請求項１のオーバーベッド・テーブル。
【請求項１３】
第一テーブル・セクションは、概ね垂直位置と概ね水平位置間での運動のために前記フレームにより支持されている、請求項１のオーバーベッド・テーブル。
【請求項１４】
第二テーブル・セクションは、第一テーブル・セクションに取外し自在に連結され、かつ前記フレームは概ね垂直位置と概ね水平位置間で第二テーブル・セクションと独立に第一テーブル・セクションの運動を可能にする、請求項１３のオーバーベッド・テーブル。
【請求項１５】
第一テーブル・セクションは前記フレームおよび第一テーブル・セクションの一方の上に設けられた内部材、ならびに前記フレームおよび第一テーブル・セクションの他方の上に設けられた外部材によって前記フレームにより支持され、かつ前記内部材は回転自在および摺動自在に前記外部材へ伸長して前記フレームに対する第一テーブル・セクションの摺動運動および枢軸回転運動を可能にする、請求項１４のオーバーベッド・テーブル。
【請求項１６】
前記フレームまたは第一テーブル・セクションの一方により支持されたレストを更に含み、前記レストは第一テーブル・セクションを概ね水平位置に支持する構成である、請求項１３のオーバーベッド・テーブル。
【請求項１７】
前記フレームは、外柱部および内柱部を有する格納式支柱を含み、前記格納式支柱は第一および第二テーブル・セクションを支持し、かつベースが前記格納式支柱に連結されている、請求項１のオーバーベッド・テーブル。
【請求項１８】
第二テーブル・セクションは、第一および第二テーブル・セクション間に連結された第一枢軸回転自在カップリングにより第一テーブル・セクションに連結されている、請求項１のオーバーベッド・テーブル。
【請求項１９】
第一枢軸回転自在カップリングは第一または第二テーブル・セクションの一方上に設けられた第一ベアリング、および第一または第二テーブル・セクションの他方上に設けられたベアリングレースを含み、第一ベアリングは前記ベアリングレースと係合して第一テーブル・セクションに対して第一軸を中心とする第二テーブル・セクションの枢軸回転を可能にする、請求項１８のオーバーベッド・テーブル。
【請求項２０】
第二テーブル・セクションは、第二テーブル・セクションと前記フレームとの間を連結する第二枢軸回転自在カップリングによって前記フレームに連結されている、請求項１９のオーバーベッド・テーブル。
【請求項２１】
第二枢軸回転自在カップリングは前記フレームまたは第二テーブル・セクションの一方上に設けられたトラニオン、および前記トラニオンを受けて第一テーブル・セクションに対する第二軸を中心とする第二テーブル・セクションの枢軸回転を可能にするために前記フレームまたは第二テーブル・セクションの他方上に設けられたリセスを含み、第二軸は第一軸から離隔している、請求項２０のオーバーベッド・テーブル。
【請求項２２】
前記ディスプレイ・スクリーンは第一テーブル・セクションに連結された第三枢軸回転自在カップリングによって第一テーブル・セクションに連結されている、請求項２１のオーバーベッド・テーブル。
【請求項２３】
前記ディスプレイ・スクリーンと連絡するプロセッサを更に含む、請求項１のオーバーベッド・テーブル。
【請求項２４】
前記フレームにより支持され、かつ前記ディスプレイ・スクリーンとプロセッサとが連絡するようにベッドフレームに操作可能に接続できるコネクタを更に含む、請求項１のオーバーベッド・テーブル。
【請求項２５】
垂直に延在する支柱を有するフレーム、
前記フレームに支持され、かつヘッド端およびフット端を有する患者支持面上方に張り出す構成のテーブル・セクション、ならびに
前記フレームによって支持され、かつ前記患者支持面のヘッド端に向けられたカメラを含む、オーバーベッド・テーブル。
【請求項２６】
前記フレームに支持されたディスプレイ・スクリーンを更に含み、前記ディスプレイ・スクリーンは前記患者支持面のヘッド端に向けた観察可能面を有する、請求項２５のオーバーベッド・テーブル。
【請求項２７】
前記カメラは前記ディスプレイ・スクリーンによって支持されている、請求項２６のオーバーベッド・テーブル。
【請求項２８】
実質的水平面内で前記テーブル・セクションに対して移動する構成の支持体を更に含み、前記ディスプレイ・スクリーンは前記支持体に連結されかつ実質的水平の保管位置と実質的垂直の使用位置間で移動する構成である、請求項２６のオーバーベッド・テーブル。
【請求項２９】
前記フレームにより支持され、かつ前記カメラと連絡するプロセッサを更に含む、請求項２５のオーバーベッド・テーブル。
【請求項３０】
前記フレームにより支持され、かつ前記カメラと遠隔プロセッサとを連絡させるためにベッドフレームに操作可能に接続できるコネクタを更に含む、請求項２５のオーバーベッド・テーブル。
【請求項３１】
前記フレームに支持され、かつ前記カメラに作動可能に接続される少なくとも一つの太陽電池を更に含む、請求項２５のオーバーベッド・テーブル。
【請求項３２】
少なくとも一つの前記太陽電池は患者支持面に連結された光源と同調可能である、請求項３１のオーバーベッド・テーブル。
【請求項３３】
垂直に延在する支柱を有するフレーム、
前記フレームに支持され、かつヘッド端およびその反対端のフット端を有する患者支持面上方に張り出す構成のテーブル・セクション、ならびに
前記フレームによって支持されかつ電源に連結されたディスプレイ装置を含み、かつ
前記ディスプレイ装置は第一および第二側を有し、かつ観察可能面が第一側により支持されかつ前記患者支持面のヘッド端に向けられている、オーバーベッド・テーブル。
【請求項３４】
前記フレームにより支持されかつ前記患者支持体のヘッド端に向けられているカメラを更に含む、請求項３３のオーバーベッド・テーブル。
【請求項３５】
前記カメラは前記ディスプレイ装置と連絡して電子ミラーを形成する、請求項３４のオーバーベッド・テーブル。
【請求項３６】
前記カメラは前記ディスプレイ装置により支持されている、請求項３４のオーバーベッド・テーブル。
【請求項３７】
実質的水平面内で前記テーブル・セクションに対して移動する構成の支持体を更に含み、前記ディスプレイ装置は前記支持体に連結されかつ実質的水平の保管位置と実質的垂直の使用位置間で移動する構成である、請求項３３のオーバーベッド・テーブル。
【請求項３８】
前記フレームにより支持されかつ前記ディスプレイ装置と連絡するプロセッサを更に含む、請求項３３のオーバーベッド・テーブル。
【請求項３９】
前記フレームにより支持され、かつ前記ディスプレイ装置と遠隔プロセッサとが連絡するようにベッドフレームに操作可能に接続できる構成のコネクタを更に含む、請求項３３のオーバーベッド・テーブル。
【請求項４０】
前記フレームにより支持され、かつ前記ディスプレイ装置に作動可能に接続される少なくとも一つの太陽電池を更に含む、請求項３３のオーバーベッド・テーブル。
【請求項４１】
少なくとも一つの前記太陽電池は前記患者支持面に連結された光源と同調可能である、請求項４０のオーバーベッド・テーブル。
【請求項４２】
前記ディスプレイ装置の第二側により支持された反射鏡を更に含む、請求項３３のオーバーベッド・テーブル。
【請求項４３】
上下面を有しかつ患者支持面上方に張り出す構成のテーブル・セクション、
前記テーブル・セクションに対して垂直に離隔して位置決めされた支持体、および
前記支持体に連結されかつ電源と連絡するモニタを含み、
前記テーブル・セクションまたは前記支持体の少なくとも一方は前記支持体または前記テーブル・セクションの他方に対して移動する構成である、オーバーベッド・テーブル。
【請求項４４】
前記モニタは、第一テーブル・セクションの下面下の保管位置と、第一テーブル・セクションの上面上方に伸長する使用位置との間での運動のために前記支持体に連結されている、請求項４３のオーバーベッド・テーブル。
【請求項４５】
前記支持体は、実質的垂直軸を中心とする回転運動のために前記テーブル・セクションの下面下方に枢軸回転自在に支持されたアームを含む、請求項４２のオーバーベッド・テーブル。
【請求項４６】
前記モニタと前記アームを連結するカプラーを更に含み、前記カプラーは実質的水平軸を中心とする第一回転運動のため、かつ第一軸に対して実質的垂直の第二軸を中心とする第二回転運動のために前記モニタを支持している、請求項４５のオーバーベッド・テーブル。
【請求項４７】
前記支持体に連結されたキーボードを更に含む、請求項４３のオーバーベッド・テーブル。
【請求項４８】
前記支持体は前記テーブル・セクションの下方に摺動自在に支持されかつ保管室を形成するトレーを含み、前記モニタは実質的水平軸を中心とする回転運動のために前記トレーにより支持されている、請求項４３のオーバーベッド・テーブル。
【請求項４９】
前記モニタは前記テーブル・セクションの下方で前記保管室へ折り畳まれる構成である、請求項４８のオーバーベッド・テーブル。
【請求項５０】
前記モニタは前記テーブル・セクションに対して垂直方向に移動する構成のアームにより支持されている、請求項４３のオーバーベッド・テーブル。
【請求項５１】
前記アームは垂直部、前記垂直部に枢軸回転自在に連結された水平部、および前記モニタを前記水平部に連結するカプラーを含み、前記カプラーは第一軸を中心とする第一回転運動のため、かつ第一軸に対して実質的垂直に設置される第二軸を中心とする第二回転運動のために前記モニタを支持している、請求項５０のオーバーベッド・テーブル。
【請求項５２】
フレーム、
前記フレームに連結されかつ保管室を形成するハウジング、
前記ハウジングに連結されたテーブル・セクション、および
電源に接続されかつ前記保管室内に取外し自在に支持されたディスプレイ・スクリーンを含み、
前記テーブル・セクションは第一位置と第二位置間での運動のために支持され、第一位置は実質的に前記保管室を被覆し、かつ第二位置は前記保管室へのアクセスを可能にする、オーバーベッド・テーブル。
【請求項５３】
前記ディスプレイ・スクリーンは垂直部を有するアームにより支持されている、請求項５２のオーバーベッド・テーブル。
【請求項５４】
前記アームは前記垂直部に連結された水平部を含み、かつカプラーは前記ディスプレイ・スクリーンを前記水平部へ連結し、前記カプラーは第一軸を中心とする第一回転運動のため、かつ第一軸に対して実質的垂直に設置された第二軸を中心とする第二回転運動のために前記ディスプレイ・スクリーンを支持している、請求項５３のオーバーベッド・テーブル。
【請求項５５】
前記テーブル・セクション上にセクションディスプレイ・スクリーンを支持するために前記ディスプレイ・スクリーンに連結された折り畳み可能スタンドを更に含む、請求項５２のオーバーベッド・テーブル。
【請求項５６】
前記ディスプレイ・スクリーンはフラットパネルモニタを含む、請求項５２のオーバーベッド・テーブル。
【請求項５７】
前記ディスプレイ・スクリーンと連絡するプロセッサを更に含む、請求項５２のオーバーベッド・テーブル。
【請求項５８】
前記フレームにより支持され、かつ前記ディスプレイ・スクリーンを遠隔プロセッサと連絡させるためにベッドフレームと作動可能に接続する構成のコネクタを更に含む、請求項５２のオーバーベッド・テーブル。
【発明の詳細な説明】
【技術分野】
【０００１】
本発明は、概ね、患者支持面上に伸長するタイプのオーバーベッド・テーブルに関する。更に詳細には、本発明は病院ベッド上の患者によりまたは病院ベッド近傍の介護人により使用される形態のディスプレイ装置および／またはカメラを備えたオーバーベッド・テーブルに関する。
【特許文献１】米国特許出願第０９／８３５，００２号、米国特許出願第０９／８４９，５８０号、米国特許仮出願第６０／３１０，０９２号
【発明の開示】
【０００２】
発明の概要
【０００３】
本発明は、病院ベッド等の患者支持体の上方に張り出し、かつ患者により使用される物を支持するように構成されるタイプのオーバーベッド・テーブルを提供する。
【０００４】
本発明の図示形態によれば、オーバーベッド・テーブルは、第一および第二テーブル・セクションに連結されたフレームを含み、第二テーブル・セクションは第一テーブル・セクションに対して垂直方向に離隔した関係で支持されている。支持体が第一テーブル・セクションに対して垂直に離隔した関係で位置決めされ、かつ実質的水平面内で第一テーブル・セクションに対して移動するように構成されている。ディスプレイ・スクリーンが前記支持体に連結され、かつ実質的水平の保管位置と実質的垂直の使用位置間で移動するように構成されている。
【０００５】
本発明の図示形態によれば、第一テーブル・セクションおよび第二テーブル・セクションの少なくとも一方は第二テーブル・セクションおよび第一テーブル・セクションの他方に対して実質的水平面内を移動するように構成されている。図示例において、第二テーブル・セクションは、第二テーブル・セクションの運動の結果が第一テーブル・セクションの摺動運動になるように第一テーブル・セクションおよび前記フレームに連結されている。
【０００６】
更に、本発明の図示形態によれば、前記支持体は第一および第二ハンドルを有するアームを含み、かつ前記ディスプレイ・スクリーンは第一ハンドルと第二ハンドルとの中間に支持されている。
【０００７】
本発明の図示形態によれば、前記支持体は第一テーブル・セクションに枢軸回転自在に連結されている。
【０００８】
本発明の図示形態によれば、前記ディスプレイ・スクリーンは実質的水平の第一軸を中心に軸回転運動するため、かつ第一軸に対して実質的垂直に延びた第二軸を中心とする軸回転運動のために前記支持体に連結されている。
【０００９】
本発明の図示形態によれば、前記ディスプレイ・スクリーンは前記保管位置において第一テーブル・セクションと第二テーブル・セクションとの中間に位置決めされかつ前記使用位置において第一テーブル・セクション上方に伸長する。
【００１０】
本発明の図示形態によれば、前記ディスプレイ・スクリーンはフラットパネルモニタおよび反射鏡を含む。
【００１１】
本発明の図示形態によれば、カメラが前記ディスプレイ・スクリーンの近傍に支持されている。
【００１２】
更に、本発明の図示形態によれば、第一テーブル・セクションは、概ね垂直位置と概ね水平位置間での運動のために前記フレームにより支持されている。
【００１３】
更に、本発明の図示形態によれば、第二テーブル・セクションは第一テーブル・セクションに取外し自在に連結され、かつ前記フレームは概ね垂直位置と概ね水平位置間で第二テーブル・セクションと独立に第一テーブル・セクションの運動を可能にする。
【００１４】
本発明の図示形態によれば、第一テーブル・セクションは前記フレームおよび第一テーブル・セクションの一方の上に設けられた内部材、ならびに前記フレームおよび第一テーブル・セクションの他方の上に設けられた外部材によって前記フレームにより支持され、かつ前記内部材は回転自在および摺動自在に前記外部材へ伸長して前記フレームに対する第一テーブル・セクションの摺動運動および枢軸回転運動を可能にする。
【００１５】
更に、本発明の図示形態によれば、レストが前記フレームまたは第一テーブル・セクションの一方により支持され、前記レストは第一テーブル・セクションを概ね水平位置に支持する構成である。
【００１６】
本発明の図示形態によれば、前記フレームは、外柱部および内柱部を有する格納式支柱を含み、前記格納式支柱は第一および第二テーブル・セクションを支持し、かつベースが前記格納式支柱に連結されている。
【００１７】
更に、本発明の図示形態によれば、第二テーブル・セクションは、第一および第二テーブル・セクション間に連結された第一枢軸回転自在カップリングにより第一テーブル・セクションに連結されている。
【００１８】
本発明の図示形態によれば、第一枢軸回転自在カップリングは第一または第二テーブル・セクションの一方上に設けられた第一ベアリング、および第一または第二テーブル・セクションの他方上に設けられたベアリングレースを含み、第一ベアリングは前記ベアリングレースと係合して第一テーブル・セクションに対して第一軸を中心とする第二テーブル・セクションの枢軸回転を可能にする。第二テーブル・セクションは、第二テーブル・セクションと前記フレームとの間を連結する第二枢軸回転自在カップリングによって前記フレームに連結されている。
【００１９】
本発明の図示形態によれば、第二枢軸回転自在カップリングは前記フレームまたは第二テーブル・セクションの一方上に設けられたトラニオン、および前記トラニオンを受けて第一テーブル・セクションに対する第二軸を中心とする第二テーブル・セクションの枢軸回転を可能にするために前記フレームまたは第二テーブル・セクションの他方上に設けられたリセスを含み、第二軸は第一軸から離隔している。
【００２０】
本発明の図示形態によれば、前記ディスプレイ・スクリーンは第一テーブル・セクションに連結された第三枢軸回転自在カップリングによって第一テーブル・セクションに連結されている。
【００２１】
更に、本発明の図示形態によれば、前記ディスプレイ・スクリーンと連絡するプロセッサが含まれる。
【００２２】
本発明の図示形態によれば、コネクタが前記フレームにより支持され、かつ前記ディスプレイ・スクリーンとプロセッサとが連絡するようにベッドフレームに操作可能に接続できるように構成されている。
【００２３】
本発明の他の形態によれば、オーバーベッド・テーブルは、垂直に延在する支柱を有するフレーム、前記フレームに支持され、かつヘッド端およびフット端を有する患者支持面上方に張り出す構成のテーブル・セクション、ならびに前記フレームによって支持され、かつ前記患者支持面のヘッド端に向けられたカメラを含む。
【００２４】
本発明の図示形態によれば、ディスプレイ・スクリーンが前記フレームに支持され、かつ前記患者支持面のヘッド端に向けた観察可能面を有する。前記カメラは前記ディスプレイ・スクリーンによって支持されている。
【００２５】
更に、本発明の図示形態によれば、支持体が実質的水平面内で前記テーブル・セクションに対して移動するように構成され、前記ディスプレイ・スクリーンは前記支持体に連結されかつ実質的水平の保管位置と実質的垂直の使用位置間で移動するように構成されている。
【００２６】
本発明の図示形態によれば、プロセッサが前記フレームにより支持されかつ前記カメラと連絡している。
【００２７】
更に、本発明の図示形態によれば、コネクタが前記フレームにより支持され、かつ前記カメラと遠隔プロセッサとを連絡させるためにベッドフレームに操作可能に接続できるように構成されている。
【００２８】
本発明の図示形態によれば、少なくとも一つの太陽電池が前記フレームに支持され、かつ前記カメラに作動可能に接続され、少なくとも一つの前記太陽電池は患者支持面に連結された光源と同調可能である。
【００２９】
本発明の他の形態によれば、オーバーベッド・テーブルは、垂直に延在する支柱を有するフレーム、前記フレームに支持され、かつヘッド端およびその反対端のフット端を有する患者支持面上方に張り出す構成のテーブル・セクション、ならびに前記フレームによって支持されかつ電源に連結されたディスプレイ装置を含む。前記ディスプレイ装置は第一および第二側を有し、かつ観察可能面が第一側により支持されかつ前記患者支持面のヘッド端に向けられている。
【００３０】
本発明の図示形態によれば、カメラが前記フレームにより支持されかつ前記患者支持体のヘッド端に向けられている。前記カメラは前記ディスプレイ装置と連絡して電子ミラーを形成する。
【００３１】
本発明の図示形態によれば、前記カメラは前記ディスプレイ装置により支持されている。
【００３２】
本発明の図示形態によれば、支持体が実質的水平面内で前記テーブル・セクションに対して移動するように構成され、前記ディスプレイ装置は前記支持体に連結されかつ実質的水平の保管位置と実質的垂直の使用位置間で移動するように構成されている。
【００３３】
本発明の他の図示形態によれば、プロセッサが前記フレームにより支持されかつ前記ディスプレイ装置と連絡している。
【００３４】
本発明の図示形態によれば、コネクタが前記フレームにより支持され、かつ前記ディスプレイ装置と遠隔プロセッサとが連絡するようにベッドフレームに操作可能に接続できるように構成されている。
【００３５】
本発明の他の図示形態によれば、少なくとも一つの太陽電池が前記フレームにより支持され、かつ前記ディスプレイ装置に作動可能に接続され、少なくとも一つの前記太陽電池は前記患者支持面に連結された光源と同調可能である。
【００３６】
本発明の他の図示形態によれば、反射鏡が前記ディスプレイ装置の第二側により支持されている。
【００３７】
本発明の他の形態によれば、オーバーベッド・テーブルは、上下面を有しかつ患者支持面上方に張り出す構成のテーブル・セクションを含む。前記オーバーベッド・テーブルは、更に、前記テーブル・セクションに対して垂直に離隔して位置決めされた支持体を含み、前記テーブル・セクションまたは前記支持体の少なくとも一方は前記支持体または前記テーブル・セクションの他方に対して移動するように構成され、かつ前記支持体に連結されかつ電源と連絡するモニタを含む。
【００３８】
本発明の図示形態によれば、前記モニタは、第一テーブル・セクションの下面下の保管位置と、第一テーブル・セクションの上面上方に伸長する使用位置との間での運動のために前記支持体に連結されている。
【００３９】
本発明の図示形態によれば、前記支持体は、実質的垂直軸を中心とする回転運動のために前記テーブル・セクションの下面下方に枢軸回転自在に支持されたアームを含む。
【００４０】
本発明の他の図示形態によれば、カプラーが前記モニタと前記アームを連結し、前記カプラーは実質的水平軸を中心とする第一回転運動のため、かつ第一軸に対して実質的垂直の第二軸を中心とする第二回転運動のために前記モニタを支持している。
【００４１】
本発明の他の図示形態によれば、キーボードが前記支持体に連結されている。
【００４２】
本発明の他の図示形態によれば、前記支持体は前記テーブル・セクションの下方に摺動自在に支持されかつ保管室を形成するトレーを含み、前記モニタは実質的水平軸を中心とする回転運動のために前記トレーにより支持されている。前記モニタは前記テーブル・セクションの下方で前記保管室へ折り畳まれるように構成されている。
【００４３】
本発明の他の図示形態によれば、前記モニタは前記テーブル・セクションに対して垂直方向に移動する構成のアームにより支持されている。前記アームは垂直部、前記垂直部に枢軸回転自在に連結された水平部、および前記モニタを前記水平部に連結するカプラーを含む。前記カプラーは第一軸を中心とする第一回転運動のため、かつ第一軸に対して実質的垂直に設置される第二軸を中心とする第二回転運動のために前記モニタを支持している。
【００４４】
本発明の他の形態によれば、オーバーベッド・テーブルは、フレーム、前記フレームに連結されかつ保管室を形成するハウジング、および前記ハウジングに連結されたテーブル・セクションを含む。前記テーブル・セクションは第一位置と第二位置間での運動のために支持され、第一位置は実質的に前記保管室を被覆し、かつ第二位置は前記保管室へのアクセスを可能にする。ディスプレイ・スクリーンが電源に接続されかつ前記保管室内に取外し自在に支持されている。
【００４５】
本発明の図示形態によれば、前記ディスプレイ・スクリーンは垂直部を有するアームにより支持されている。前記アームは前記垂直部に連結された水平部を含み、かつカプラーは前記ディスプレイ・スクリーンを前記水平部へ連結する。前記カプラーは第一軸を中心とする第一回転運動のため、かつ第一軸に対して実質的垂直に設置された第二軸を中心とする第二回転運動のために前記ディスプレイ・スクリーンを支持している。
【００４６】
本発明の図示形態によれば、折り畳み可能スタンドが前記テーブル・セクション上にセクションディスプレイ・スクリーンを支持するために前記ディスプレイ・スクリーンに連結されている。
【００４７】
本発明の他の図示形態によれば、前記ディスプレイ・スクリーンはフラットパネルモニタを含む。
【００４８】
本発明の図示形態によれば、プロセッサが前記ディスプレイ・スクリーンと連絡している。
【００４９】
本発明の他の図示形態によれば、コネクタが前記フレームにより支持され、かつ前記ディスプレイ・スクリーンを遠隔プロセッサと連絡させるためにベッドフレームと作動可能に接続するように構成されている。
【００５０】
本発明の他の特徴は添付図面に関する続く詳細な説明から当業者に明かであろう。
【発明を実施するための最良の形態】
【００５１】
図１〜３を参照すると、本発明の図示例によるオーバーベッド・テーブル１０は、ベース１２および格納式支柱１４を含む。ベース１２と格納式支柱１４は連結されて、第一および第二テーブル・セクション１６および１８を支持するフレーム１５を形成する。続く説明において、第一テーブル・セクション１６は上テーブルと呼ぶことができ、第二テーブル・セクションは食物トレーと呼ぶことができる。第一および第二テーブル・セクション１６および１８は支柱１４の上端１７の近傍で垂直方向に離隔した関係で取付けられる。図示例において、第一テーブル・セクション１６は第二テーブル・セクション１８の上方に離隔した状態で位置決めされ、それによりその間に垂直空間または開放領域１９を形成する。ベース１２は概ねＩ形平面を有しかつ図示例において、オーバーベッド・テーブル１０の適宜位置決めを促進するキャスタ２０を四つの終端部またはコーナに装備する。
【００５２】
格納式支柱１４は、従来ベッド２１に対してオーバーベッド・テーブル１０の位置決めを促進するために、例えば、垂直に対して概ね０°〜１０°の角度でベース１２から上方に伸長している。更に具体的には、支柱１４はマットレース２４（図２３および２４）を支持するベッドレール２３を含む従来ベッドフレーム２２に隣接して位置決めされる構成である。
【００５３】
支柱１４は、格納式上下部２６および２８を含む。上部２６は下部２８に対して概ね垂直方向に移動するように構成される。支柱１４の更に詳細は、本発明の譲受人に譲渡された同時継続出願第０９／８３５，００２号に記載されており、ここに組み込まれることを明記する。
【００５４】
図１、３および４を参照すると、スリーブ３０が支柱１４の上端１７近傍に設けられかつ概ね水平方向に延在する。第一テーブル・セクション１６は、スリーブ３０（図３）の内チャンネル３４としての長軸を横断する、実質的同一断面を有するロッドまたは管３２を含む。ロッドまたは管３２はスリーブ３０を通って延在し、かつ図３、４、５および７に示されたように、スリーブ３０内で長軸３６を中心に摺動自在および回転自在に移動または運動可能であって、第一テーブル・セクション１６を第二テーブル・セクション１８から直線方向へ摺動させかつ概ね起立垂直位置と水平テーブル位置との間で回転させることができる。
【００５５】
図１および３に示されたように、上端１７に隣接して、支柱１４は更にフレーム１５の一部を形成するビーム３８を有する。ビーム３８の基端４０は支柱１４に取付けられ、かつその反対側の先端または遠隔端４２は支柱１４からベース１２に概ね平行の方向に延在する。そのようにして、第一テーブル・セクション１６は、片側が支持されて支柱１４から張出すように支持されると理解されてよい。ビーム３８の先端４２は、ロッドまたは管３２がスリーブ３０内を枢軸回転するときに第一テーブル・セクション１６の下方への枢軸回転を制限するレスト４４を有する。第一テーブル・セクション１６の下側面または下面４６は第一テーブル・セクション１６の下面４６の磨耗を軽減するためにレスト４４上を摺動する軸受け面４８を含んでよい。従来ラッチ（図示せず）がテーブル・セクション１６をビーム３８に解放自在に固定するために設けられてよい。
【００５６】
次に、図１〜３、および７を参照すると、図示例において、保管トレーまたは容器４９はビーム３８の先端４２により支持される。保管容器４９は一対の側壁５０および５１、ならびに下壁５４に連結された一対の端壁５２および５３を含む。端壁５２および５３は、第一テーブル・セクション１６が保管容器の上方に位置決めされるときに、保管容器４９へのアクセスを促進するために内部に切欠き５５が形成されている。取付けタブ５６が側壁５１に連結され、かつボルト５７がナット５８に螺合可能に受けられるように、従来締結具によりビーム３８の先端４２に固定される。
【００５７】
第一テーブル・セクション１６の上面６０は、ベッド２１上の人により、またはベッド２１近くの介護人により使用される、コップおよび皿（図示せず）等の従来物を受けかつ固定できる複数のリセス６１を含んでよい。更に、バンパ６２が、オーバーベッド・テーブル１０と接触する面を保護するために、第一テーブル・セクション１６の周辺エッジに固定されてよい。バンパ６２は、好適には、エラストマまたは熱可塑性プラスチック等の弾性材料により形成される。
【００５８】
図３に示されたように、第二テーブル・セクション１８は下面６３、および概ね円形平面を有しかつ概ねフラットな軸受け面を提供する上軸受け６４を含む。支柱１４に隣接して、基端４０と先端４２との中間に、ビーム３８は対応する概ねフラットな円形の下軸受け面６６を有する。第二テーブル・セクション１８とビーム３８の一方（図示例においてビーム３８）は、ピボットポスト６８を有し、かつ第二テーブル・セクション１８とビーム３８の他方（図示例において第二テーブル・セクション１８）はピボットポスト６８を受けるためのリセス７０を有する。第二テーブル・セクション１８は取外し自在に取付けられかつピボットポスト６８上のピボット軸７２を中心に軸回転運動する。
【００５９】
支柱１４から遠隔の先端７６で上方を向いた面７４上に、第二テーブル・セクション１８はローラベアリング７８を有する。第一テーブル・セクション１６の下面４６は、第一テーブル・セクション１６がレスト４４上に当接する下方位置のときに、ローラベアリング７８受けるためのベアリングトラック８０を含む。この連結により、水平面内の第二テーブル・セクション１８の枢軸回転運動は結果的に第一テーブル・セクション１６の第二平行水平面内におけるスリーブ３０に沿った摺動運動を可能にする。図４および５に示されたように、矢印８４の方向へのフレーム１５の支柱１４から離れる第二テーブル・セクション１８の基端８２の枢軸回転運動の結果として、第一テーブル・セクション１６の摺動運動は矢印８６に表されたように、概ね反対方向になる（図５）。第二テーブル・セクション１８の矢印８８の方向においてフレーム１５の支柱１４に向かう枢軸回転運動は、結果として矢印９０により示されたように、概ね第二テーブル・セクション１８の方向へ向かう第一テーブル・セクション１６の摺動運動を可能にする。
【００６０】
同様に、矢印８６の方向において第二テーブル・セクション１８から離れる第一テーブル・セクション１６の摺動運動は、結果として概ね矢印８４の方向において支柱１４から概ね離れる第二テーブル・セクション１８の基端８２の枢軸回転運動を可能にする。第一テーブル・セクション１６の矢印９０の方向における支柱１４へ向かう摺動運動は、結果として矢印８８の方向において支柱１４および第一テーブル・セクション１６へ向かう第二テーブル・セクション１８の基端８２の枢軸回転運動を可能にする。
【００６１】
一般的に、一テーブル・セクション１６，１８の平面内の水平運動の結果は、他方のテーブル・セクション１６，１８の隣接する実質的平行面における同様の水平運動となる。図４に示されたように、保管位置において、第二テーブル・セクション１８は第一テーブル・セクション１６の下方に位置決めされる。使用位置において、図５および６に示されたように、第二テーブル・セクション１８は第一テーブル・セクション１６の下から少なくとも一部が外方へ移動する。
【００６２】
第二テーブル・セクション１８は、図示例において、ピボットポスト６８を中心とする第二テーブル・セクション１８の枢軸回転運動を促進するために、その長手両側エッジ９６および９７に設置された一対のハンドル９２および９４を含む。ハンドル９２および９４は第一テーブル・セクション１６の両側エッジ９８および９９の下から外方へ伸長するように構成される。各ハンドル９２および９４は、第二テーブル・セクション１８を保管位置（図４）から使用位置（図５）へ展開することにより患者が利用できるグリップ部１００および１０２を含んでよい。グリップ部１００および１０２は図示例においてエラストマー等の高摩擦弾性材料から形成される。
【００６３】
図２〜４、および６〜８を参照すると、支持アーム１０４は第一および第二テーブル・セクション１６および１８に対して垂直方向に離隔した開放領域１９内に支持される。更に具体的には、支持アーム１０４は、第一および第二テーブル・セクション１６および１８間の中間に位置決めまたはサンドイッチされる。支持アーム１０４はピボット軸１０６（図３）を中心に実質的水平面内を枢軸回転運動するように支持される。第一テーブル・セクション１６の下面４６は、図示例において、概ね円形平面でありかつ支持アーム１０４のための概ねフラットな軸受け面を有するベアリング１０８を含む。ピボットポスト１１０はベアリング１０８内に形成されたリセス内に受けられる。ピボットポスト１１０は、支持アーム１０４内に形成され開口部１１４を通過しかつリセス１１２内に螺合可能に受けられる従来締結具を含む。支持アーム１０４は、保管位置（図４および５）と使用位置（図６）間で、ピボットポスト１１０を中心にかつ従ってピボット軸１０６を中心に軸回転運動する。
【００６４】
支持アーム１０４は、図示例において実質的Ｕ形部１１６および連結部１１８を含む。Ｕ形部１１６は患者による支持アーム１０４の枢軸回転運動を促進するために、一対のハンドル１２０および１２２を支持する。ハンドル１２０および１２２は、第一テーブル・セクション１６の両側エッジ９８および９９下から外方へ延在するように構成される。ディスプレイ・スクリーンまたはディスプレイ装置１２４がカプラー１２６により支持アーム１０４のＵ形部１１６によって支持される。
【００６５】
図８を参照すると、カプラー１２６は、実質的水平の第一ピボット軸１３０を中心に枢軸回転運動するように支持された第一本体部１２８を含む。第一ピン１３２が第一本体部１２８を支持アーム１０４のＵ形部１１６へ連結する。第二本体部１３４は、第一ピボット軸１３０に実質的垂直の第二ピボット軸１３６を中心に枢軸回転運動するために第一本体部１２８により支持される。第二ピン１３８が第二本体部１３４を第一本体部１２８へ連結する。順次、ディスプレイ装置１２４は第二本体部１３４に固定される。
【００６６】
ディスプレイ装置１２４は第一および第二側１４２および１４４を含み、第一側１４２は観察可能面１４６を支持しかつベッド２１（図２３）のヘッド端１４８に対面するように構成される。ディスプレイ装置１２４は図示例において、観察面１４６が電子ディスプレイ１５０（図８）を含む従来コンピュータモニタを含む。従来ミラー１５２はディスプレイ装置（図４）の第二側１４４により支持されてよい。理解されるように、使用者は、第二ピン１３８を中心に第二本体部１３４を移動させるために第二ピボット軸１３６を中心にディスプレイ装置１２４を単に回転させることにより電子ディスプレイ１５０およびミラー１５２を選択的に使用できる。図示形態において、ディスプレイ装置１２４はフラットパネルモニタを含み、かつ電子ディスプレイ１５０は高解像液晶ディスプレイを含む。ディスプレイ装置１２４の観察可能面１４６は他の従来スクリーンにより形成されてよく、かつこれに限定されることなくテレビジョンスクリーン、またはプロジエクションスクリーン、または従来ミラーを含む。ディスプレイ１５０がプロジエクションスクリーンを含む場合には、画象は遠隔位置から観察可能面１４６へ映写されてよい。更に詳細には、従来プロジエクタ（図示せず）はオーバーベッド・テーブル１０から遠隔の構造体（例えば、床）により支持されかつ観察可能面１４６へ情報を映写するように構成される。
【００６７】
プロセッサ１５４がフレーム１５により支持されかつ最も好適には支柱１４の上端１７の近傍に固定される。プロセッサ１５４は従来伝送手段によりディスプレイ装置１２４と連絡し、かつワイヤ付きまたはワイヤレスの送受信機（図示せず）を含んでよい。バッテリ１５６の形態の電源が同様に支柱１４の上端１７近傍に固定でき、かつディスプレイ装置１２４と連絡する。理解されるように、プロセッサ１５４およびバッテリ１５６はオーバーベッド・テーブル１０から遠隔に設置されてよく、かつディスプレイ装置１２４がプロセッサ１５４およびバッテリ１５６と相互作用するようにするために、連絡手段即ち通信手段が設けられてよい。この詳細は後述する。
【００６８】
ビデオまたはデジタルイメージカメラ等のカメラ１６０がディスプレイ装置１２４により図示されたように支持される。カメラ１６０はプロセッサ１５４と連絡し、かつバッテリ１５６により供給される電力を有してよい。一図示例において、カメラ１６０はプロセッサ１５４に画像を提供し、続いてプロセッサ１５４は電子ディスプレイ１５０に送信する。そのようにして、電子ディスプレイ１５０、プロセッサ１５４、およびカメラ１６０は電子ミラーを形成する。換言すれば、カメラ１６０に対面する患者は電子ディスプレイ１５０に電子的に現れる自分の画像を見ることができる。
【００６９】
オーバーベッド・テーブル２１０の他の形態例が図９および１０に示されている。オーバーベッド・テーブル２１０は、図示例において、第二テーブル・セクション２１４上方で垂直方向に離隔して位置決めされた第一テーブル・セクション２１２を含む。第一テーブル・セクション２１２は摺動運動のために支持され、かつ第二テーブル・セクション２１４はオーバーベッド・テーブル１０の図示形態の第一テーブル・セクション１６および第二テーブル・セクション１８について上述したように第一テーブル・セクション２１２に対して枢軸回転運動するために支持される。
【００７０】
リセス２１６が第二テーブル・セクション２１４の上面２１８から下方へ延在する。ディスプレイ装置１２４は、実質的水平ピボット軸２２２を中心とする枢軸回転運動のために、蝶番２２０を介して第二テーブル・セクション２１４により支持される。ディスプレイ装置１２４は実質的起立使用位置（図９）と実質的水平保管位置（図１０）との間で蝶番２２０により形成されるピボット軸２２２を中心に軸回転するように構成される。保管位置において、ディスプレイ装置１２４は、ディスプレイ装置１２４の後側または第二側１４４が第二テーブル・セクション２１４の上面２１８と実質的に同一面になるように、リセス２１６内に受けられる。図９および１０の形態において、分離支持アームはディスプレイ装置１２４に必要とされない。
【００７１】
次に、図１１および１２を参照すると、第一テーブル・セクション３１２を支持するフレーム１５を含む他の形態のオーバーベッド・テーブル３１０が示されている。保管トレー３１４は第一テーブル・セクション３１２の下方で垂直方向に離隔して支持され、かつ第一テーブル・セクション３１２の長軸３１５に対して概ね垂直方向において実質的水平面内で移動するように構成される。ディスプレイ装置１２４は、ディスプレイ装置１２４が保管トレー３１４から上方へ伸張する開放または使用位置（図１１）から、ディスプレイ装置１２４が第一テーブル・セクション３１２により形成される水平面下で保管トレー３１４内に受けられる閉鎖または保管位置（図１２）へのディスプレイ装置の枢軸回転運動のために設けられる相互に離隔した第一および第二アーム３１６および３１８に連結される。図１１に示されたように、アーム３１６および３１８の第一端３２０および３２２は、保管トレー３１４の長手に延在する側壁３２４および３２６に枢軸回転自在に連結され、他方、アーム３１６および３１８の反対側の第二端３２８および３３０はディスプレイ装置１２４の上部に枢軸回転自在に連結される。アーム３１６および３１８の第一端３２０はディスプレイ装置１２４の保管トレー３１４への折り畳みを促進するために、側壁３２４および３２６内に延在するチャンネル３３２により摺動可能に受けられてよい。
【００７２】
作用として、ディスプレイ装置１２４は、アーム３１６および３１８を保管トレー３１４へ向けて下方へ折り畳み、ディスプレイ装置１２４が側壁３２４と３２６間の中間に嵌合するようにすることにより、開放位置（図１１）と閉鎖位置（図１２）間を移動できる。次に、保管トレー３１４を第一テーブル・セクション３１２の方向へ摺動運動させて、保管トレー３１４が第一テーブル・セクション３１２の直下で垂直方向に離隔して位置決めされる保管位置へ移動させる。
【００７３】
図１３〜１６を参照すると、本発明による他の形態のオーバーベッド・テーブル４１０が保管ユニット４１２を支持するフレーム１５を含むものとして図示されている。保管ユニット４１２は患者または介護人による使用のために複数の棚４１４を含んでよい。理解されるように、棚４１４はドア（図示せず）内に封入されるか、または摺動引き出しまたは取外し自在容器（図示せず）により置換できる。
【００７４】
第一または上テーブル・セクション４１６は、第一テーブル・セクション４１６の長軸４１７に実質的平行の運動のために保管ユニット４１２により摺動自在に支持される（図１４）。更に、第一テーブル・セクション４１６は第一テーブル・セクション４１６により支持される第一または内ガイド部材４１８、および保管ユニット４１２により支持される外ガイド部材４２０を含んでよい。このようにして、テーブル・セクション４１６は、保管ユニット４１２により形成される保管リセス４２４へのアクセスを可能にするために、二重矢印４２２の方向に置いて実質的水平面内を前後移動する。ディスプレイ装置１２４は、保管位置（図１４）のときに保管リセス４２４内に支持される。ディスプレイ装置１２４は、テーブル・セクション４１６に対して垂直に移動するように構成されるアーム４２６により支持される。アーム４２６は保管ユニット４１２により支持されかつ実質的垂直軸４３０を中心に軸回転できる垂直部４２８を含む。水平部４３２が垂直部４２８に枢軸回転自在に連結され、かつカプラー４３４はディスプレイ装置１２４を水平部４３２に連結する。カプラー４３４が、第一軸４３６を中心とする第一枢軸回転運動のために、かつ第一軸４３６（図１６）に対して実質的垂直に配置された第二軸４３８を中心とする第二枢軸回転運動のために、ディスプレイ装置を支持する。
【００７５】
更に、図１６を参照すると、カプラー４３４は、第一軸４３６を中心に回転自在の第一部材４４０、および第二軸４３８を中心に回転自在の第二部材４４２を含む。カプラー４３４に組み合わせたアーム４２６は、図１３〜１６に示されたように、複数の異なる位置のいずれか一つの位置へディスプレイ装置１２４を運動させるために設けられる。
【００７６】
図１７および１８の他の図示形態に示されたように、電話４４４等の通信装置は、ディスプレイ装置１２４に隣接してアーム４２６’により支持されてよい。更に、ディスプレイ装置１２４および電話４４４はコンピュータ支持体４４８に連結された全コンピュータシステム４４６の一部であってよい。図１７は、コンピュータシステム４４６に患者がアクセスできるように、使用位置のオーバーベッド・テーブル４１０’を示す。このようにして、患者はイーメール、インターネット、ケアプラン、またはコンピュータネットワークを介して容易にアクセスできるコンピュータゲーム等の他のアイテムにアクセスできる。患者は、また、ビジネスを実行したり、または介護人による質問に対してイーメールを送信できる。図１８は、コンピュータシステム４４６がテーブル・セクション４１６の水平面下で保管リセス４２４内に受けられた保管位置にあるオーバーベッド・テーブル４１０’を示す。
【００７７】
図１９および２０を参照すると、他の形態のオーバーベッド・テーブル５１０が、オーバーベッド・テーブル４１０について上述したと同様の保管キャビティまたはリセス４２４を含む保管ユニット４１２を含むものとして示されている。オーバーベッド・テーブル５１０におけるディスプレイ装置１２４は蝶番５１２により保管ユニット４１２に枢軸回転自在に連結される。そのようにして、ディスプレイ装置１２４は、ディスプレイ装置１２４がテーブル・セクション４１６の上で垂直方向に位置決めされる使用位置（図１９）と、ディスプレイ装置１２４が保管キャビティ４２４内でテーブル・セクション４１６の水平面下に受けられる保管位置（図２０）との間で水平軸５１４を中心に軸回転する。
【００７８】
図２１および２２を参照すると、他の形態のオーバーベッド・テーブル６１０が、オーバーベッド・テーブル４１０について上述したように保管キャビティ４２４を含む保管ユニット４１２を含むものとして示されている。ディスプレイ装置１２４は保管キャビティ４２４内に除去可能に支持される。更に、ディスプレイ装置１２４は保管キャビティ４２４から物理的に除去でき、かつ使用位置（図２１および２２）のときに第一テーブル・セクション４１６の上面６１１上に支持されてよい。このディスプレイ装置はベース６１４、およびディスプレイ装置１２４の背面６１６に連結された少なくとも一つの起立部６１８を含む折り畳み可能スタンド６１２を含む。ベース６１４および起立部６１８は、ベース６１４が保管キャビティ４２４内への保管のために起立物６１６および６１８の近傍へ折り畳まれるように、一対のピボットまたは蝶番６２０により操作可能に連結される。従来ワイヤまたはケーブル６２４がプロセッサ１５４にディスプレイ装置１２４を機能的に接続する。
【００７９】
本発明の他の形態が図２３および２４に示されている。オーバーベッド・テーブル７１０のベース１２は、マットレース２４下のベッド２１のフレーム２２に連結された第二ドッキングコネクタ７１４に係合する第一ドッキングコネクタ７１２を含む。第二ドッキングコネクタ７１４に連結された第一ドッキングコネクタ７１２は、従来法によりディスプレイ装置１２４に電力を供給しかつ情報または信号をディスプレイ装置１２４に伝送するために使用できる。他の形態において、伸縮自在のコード７１８がディスプレイ装置１２４に電力を供給するために使用される。更に具体的には、伸縮自在コード７１８は、ベッドフレーム２２により支持されるハウジング７２０内に受けることができる。他の形態において、オーバーベッド・テーブル７１０はベース１２上に支持される上方を向いた複数の太陽乾電池７２２を含む。太陽電池７２２はオーバーベッド・テーブル７１０上に支持されるディスプレイ装置１２４等の構成要素に電力供給するために利用される。バッテリ１５６は従来細流充電器を使用して太陽電池７２２により周囲光から充電されてよい。夜間使用のために、夜間光７２４が太陽電池７２２と連絡するように設けられてよいい。更に、夜間光７２４はベッドフレーム２２により支持されかつ光りを太陽電池７２２へ向けて下方に誘導する。そのようにして、夜間光７２４は、オーバーベッド・テーブル７１０上の電気素子のための電力を維持するために太陽電池７２２にエネルギー源を提供する。
【００８０】
オーバーベッド・テーブル１０、７１０および外部コンピュータシステム間の相互作用に関する更なる詳細は、共に本発明の譲受人に譲渡された２００１年５月４日に出願された"Patient Point-of-Care Computer System"に係る米国特許出願番号第０９／８４９，５８０号（代理人整理番号８２６６−０７０９）、および２００１年８月３日に出願された米国仮出願番号第６０／３１０，０９２号に記載されている。
本発明は特定図示形態について説明されているが、特許請求の範囲に記載の発明の範囲および精神において変更および改変を含む。
【図面の簡単な説明】
【００８１】
【図１】本発明のオーバーベッド・テーブルの一形態例の斜視図であって、閉鎖位置または保管位置の第二テーブル・セクションおよびディスプレイ支持体を示す。
【図２】開放位置または使用位置の第二テーブル・セクションおよびディスプレイ支持体を示す、図１と同様の斜視図である。
【図３】図１のオーバーベッド・テーブルの一部分解斜視図である。
【図４】図１のオーバーベッド・テーブルの一部を切欠いた平面図である。
【図５】図４の平面図であって、開放位置または使用位置の第二テーブル・セクションおよび閉鎖位置または保管位置のディスプレイ支持体を示す。
【図６】図４と同様の平面図であって、開放位置または使用位置の第二テーブル・セクションおよびディスプレイ支持体を示す。
【図７】図１のオーバーベッド・テーブルの斜視図であって、起立位置または清掃位置の第一テーブル・セクションを示す。
【図８】ディスプレイ・カプラーを一部切欠いた、オーバーベッド・テーブルの詳細斜視図である。
【図９】本発明のオーバーベッド・テーブルの他の形態例であって、開放位置の第二テーブル・セクションおよびディスプレイ・スクリーンを示す。
【図１０】閉鎖位置の第二テーブル・セクションを示す、図９と同様の斜視図である。
【図１１】本発明のオーバーベッド・テーブルの他の形態例の斜視図であって、開放位置の第一テーブル・セクションおよびディスプレイ・スクリーンを示す。
【図１２】閉鎖位置の第一テーブル・セクションを示す、図１１と同様の斜視図である。
【図１３】本発明の他のオーバーベッド・テーブルの他の形態例の斜視図であって、完全展開操作モードまたは使用操作モードのディスプレイ・スクリーンを示す。
【図１４】保管操作モードのディスプレイ・スクリーンを示す、図１３と同様の斜視図である。
【図１５】第一部分展開操作モードのディスプレイ・スクリーンを示す、図１３のオーバーベッド・テーブルの斜視図である。
【図１６】第二部分展開操作モードのディスプレイ・スクリーンを示す、図１３のオーバーベッド・テーブルの斜視図である。
【図１７】本発明のオーバーベッド・テーブルの他の形態例の斜視図であって、電話に組み込まれかつ完全展開操作または使用操作モードを示す。
【図１８】保管操作モードのディスプレイ・スクリーンを示す、図１７と同様の斜視図である。
【図１９】本発明のオーバーベッド・テーブルの他の形態例の斜視図であって、保管室内の保管位置に枢軸回転自在に支持されかつ第一テーブル・セクション上方に延びた使用操作モードの位置にあるディスプレイ・スクリーンを示す。
【図２０】第一テーブル・セクションの下方で保管位置にあるディスプレイ・スクリーンを示す、図１９と同様の斜視図である。
【図２１】本発明のオーバーベッド・テーブルの他の形態例の前斜視図であって、保管位置においてテーブル・セクション下方の保管室内で取外し自在に支持され，かつ使用位置においてテーブル・セクション上に支持される形態のディスプレイ・スクリーンを示す。
【図２２】垂直軸を中心に１８０°回転した、図２１と同様ディスプレイ・スクリーンの斜視図である。
【図２３】本発明のオーバーベッド・テーブルの他の形態例の斜視図であって、ドッキングコネクタ、およびオーバーベッド・テーブルのフレームのベースによって支持された太陽電池装置を示す。
【図２４】病院のベッドに完全にドッキングした図２３のオーバーベッド・テーブルの相互作用を示す断面図である。
【図１】
2005523042.tif 000002
【図２】
2005523042.tif 000003
【図３】
2005523042.tif 000004
【図４】
2005523042.tif 000005
【図５】
2005523042.tif 000006
【図６】
2005523042.tif 000007
【図７】
2005523042.tif 000008
【図８】
2005523042.tif 000009
【図９】
2005523042.tif 000010
【図１０】
2005523042.tif 000011
【図１１】
2005523042.tif 000012
【図１２】
2005523042.tif 000013
【図１３】
2005523042.tif 000014
【図１４】
2005523042.tif 000015
【図１５】
2005523042.tif 000016
【図１６】
2005523042.tif 000017
【図１７】
2005523042.tif 000018
【図１８】
2005523042.tif 000019
【図１９】
2005523042.tif 000020
【図２０】
2005523042.tif 000021
【図２１】
2005523042.tif 000022
【図２２】
2005523042.tif 000023
【図２３】
2005523042.tif 000024
【図２４】
2005523042.tif 000025
【国際調査報告】
2005523042.tif 000026
2005523042.tif 000027